(57)【要約】【課題】フィルタ部材の定期的な洗浄作業を簡易、かつ効率的に行うことができる自動販売機の注出ノズルを提供すること。【解決手段】自動販売機本体内部で生成され、かつ炭酸水供給配管４１を通じて供給された炭酸水をカップＣに注出する自動販売機の炭酸水ノズル４２であって、自動販売機本体に固定された状態で炭酸水供給配管４１に連結され、内部の炭酸水供給経路４２１１に抵抗片４２１２が設けられた基端部４２１と、基端部４２１と着脱可能に設けられ、内部の炭酸水供給経路４２２１に網４５が配設された先端部４２２とを備えたものである。【選択図】図３
2011258106.tif 000002
【特許請求の範囲】
【請求項１】
自動販売機本体内部で生成され、かつ炭酸水供給配管を通じて供給された炭酸水を飲料容器に注出する自動販売機の注出ノズルであって、
自動販売機本体に固定された状態で前記炭酸水供給配管に連結され、内部の炭酸水供給経路に抵抗片が設けられた基端部と、
前記基端部と着脱可能に設けられ、内部の炭酸水供給経路にフィルタ部材が配設された先端部と
を備えたことを特徴とする自動販売機の注出ノズル。
【請求項２】
前記フィルタ部材は、
フィルタ機能を有する本体部と、
前記本体部の周縁に設けられ、前記本体部を前記先端部の炭酸水供給経路に挿入する態様で該炭酸水供給経路の基端縁部に係止される鍔部と
を備えたハット形状を成すことを特徴とする請求項１に記載の自動販売機の注出ノズル。
【発明の詳細な説明】
【技術分野】
【０００１】
本発明は、自動販売機の注出ノズルに関し、より詳細には、自動販売機本体内部で生成され、かつ炭酸水供給配管を通じて供給された炭酸水を飲料容器に注出する自動販売機の注出ノズルに関するものである。
【背景技術】
【０００２】
この種の自動販売機の注出ノズルとして、特許文献１に示されたものが知られている。すなわち、自動販売機本体の内部に配設されたカーボネータにより生成され、かつ該カーボネータに接続された炭酸水供給配管を通じて供給された炭酸水を、所定のベンドステージに載置されたカップに注出するものである。このような注出ノズルは、ガスボリューム等のコールド飲料の特性を十分に引き出すことができるようにカップに対する配設位置が厳しく規定されている。
【先行技術文献】
【特許文献】
【０００３】
【特許文献１】特開２００７−１４１１４７号公報
【発明の概要】
【発明が解決しようとする課題】
【０００４】
ところで、上述した注出ノズルは、それぞれの内部に炭酸水供給経路が形成され、炭酸水供給配管に連結された基端部と、この基端部と着脱可能な関係にある先端部とが備えられているのが一般的である。そして、基端部の内部の炭酸水供給経路には、抵抗片が設けられており、先端部の内部の炭酸水供給経路にはフィルタ機能を有する網が設けられている。また、この先端部は、自身に取り付けられた固定金具を介して自動販売機本体に固定されている。
【０００５】
このような注出ノズルでは、網の洗浄を定期的に行う場合に、基端部を先端部から離脱させた後、先端部を自動販売機本体から取り外さなければならず、作業が煩雑なものとなっていた。
【０００６】
本発明は、上記実情に鑑みて、フィルタ部材の定期的な洗浄作業を簡易、かつ効率的に行うことができる自動販売機の注出ノズルを提供することを目的とする。
【課題を解決するための手段】
【０００７】
上記目的を達成するために、本発明の請求項１に係る自動販売機の注出ノズルは、自動販売機本体内部で生成され、かつ炭酸水供給配管を通じて供給された炭酸水を飲料容器に注出する自動販売機の注出ノズルであって、自動販売機本体に固定された状態で前記炭酸水供給配管に連結され、内部の炭酸水供給経路に抵抗片が設けられた基端部と、前記基端部と着脱可能に設けられ、内部の炭酸水供給経路にフィルタ部材が配設された先端部とを備えたことを特徴とする。
【０００８】
また、本発明の請求項２に係る自動販売機の注出ノズルは、上述した請求項１において、前記フィルタ部材は、フィルタ機能を有する本体部と、前記本体部の周縁に設けられ、前記本体部を前記先端部の炭酸水供給経路に挿入する態様で該炭酸水供給経路の基端縁部に係止される鍔部とを備えたハット形状を成すことを特徴とする。
【発明の効果】
【０００９】
本発明の自動販売機の注出ノズルによれば、自動販売機本体に固定された状態で炭酸水供給配管に連結され、内部の炭酸水供給経路に抵抗片が設けられた基端部と、基端部と着脱可能に設けられ、内部の炭酸水供給経路にフィルタ部材が配設された先端部とを備えているので、自動販売機本体に固定されていない先端部を自動販売機本体に固定された基端部から離脱させ、該先端部に設けられたフィルタ部材を取り外すだけで該フィルタ部材の洗浄を行うことができる。従って、フィルタ部材の定期的な洗浄作業を簡易、かつ効率的に行うことができるという効果を奏する。
【図面の簡単な説明】
【００１０】
【図１】図１は、本発明の実施の形態である注出ノズルが適用された自動販売機（カップ式飲料自動販売機）の回路構成を示す概念図である。
【図２】図２は、図１に示した炭酸水ノズルを示す斜視図である。
【図３】図３は、図１に示した炭酸水ノズルの内部構造を示すために一部を断面で示した説明図である。
【図４】図４は、図１に示した炭酸水ノズルの分離状態を示す説明図である。
【発明を実施するための形態】
【００１１】
以下に添付図面を参照して、本発明に係る自動販売機の注出ノズルの好適な実施の形態について詳細に説明する。
【００１２】
図１は、本発明の実施の形態である注出ノズルが適用された自動販売機（カップ式飲料自動販売機）の回路構成を示す概念図である。ここで例示する自動販売機は、希釈液供給回路１０を備えている。
【００１３】
希釈液供給回路１０は、製氷器３０、カーボネータ４０あるいは温水タンク５０等に水を供給するためのもので、リザーバ１１、ポンプ１２及び給水バルブ１３が設けてある。給水バルブ１３を開成させると水道水がリザーバ１１に供給されて貯留され、ポンプ１２を駆動させることによって冷水配管１４又は温水配管１５に水が送出される。冷水配管１４に送られた水は、冷却水槽６０に貯留している水に浸漬された冷却コイル１６を通流することにより冷却される。
【００１４】
冷却コイル１６には、送水バルブ１７と冷水供給配管１８とが接続してあり、送水バルブ１７にはカーボネータ４０が接続してあり、ポンプ１２を駆動した状態で送水バルブ１７を開成させるとカーボネータ４０に冷水が供給される。
【００１５】
カーボネータ４０は、冷却水槽６０に貯留した水に浸漬してあり、炭酸ガスボンベ７０から供給された炭酸ガスが冷水に溶解して炭酸水を生成するものである。また、カーボネータ４０には、炭酸水供給配管４１を介して炭酸水ノズル（注出ノズル）４２が接続してある。この炭酸水供給配管４１にはその途中に炭酸水バルブ４１１が配設してあり、この炭酸水バルブ４１１を開成させると、炭酸ガスボンベ７０から供給される炭酸ガスの圧力でカーボネータ４０から押し出された炭酸水が炭酸水ノズル４２からベンドステージ１に載置されたカップＣに注出されることになる。
【００１６】
冷水供給配管１８の先端には、希釈冷水ノズル１９が接続してある。この冷水供給配管１８にはその途中に冷水バルブ１８１が配設してあり、ポンプ１２を駆動させた状態で冷水バルブ１８１を開成させると、希釈冷水ノズル１９からベンドステージ１に載置されたカップＣに冷水が注出されることになる。
【００１７】
上記冷却水槽６０に貯留した水には、複数のシロップ冷却コイル２０が浸漬してあり、このシロップ冷却コイル２０には、シロップ飲料の原液となる各種のシロップがそれぞれ貯蔵してある複数のシロップコンテナ２１がシロップ売切装置２２を介して接続してある。各シロップコンテナ２１は、それぞれ炭酸ガスボンベ７０に接続されて炭酸ガスが供給されるとともに、シロップ供給配管２３を介してシロップノズル２４が接続してある。このシロップ供給配管２３の途中にはシロップバルブ２３１が配設してあり、このシロップバルブ２３１を開成させると、シロップコンテナ２１に貯留してあるシロップが炭酸ガスボンベ７０から供給される炭酸ガスの圧力で押し出され、シロップ売切装置２２からシロップ冷却コイル２０を通過したシロップは冷却されて、シロップノズル２４からベンドステージ１に載置されたカップＣに注出されることになる。
【００１８】
製氷器３０は、リザーバ１１から供給された水から調理用の氷を製造するものである。この製氷器３０は、図には明示しないが、円筒状の金属の内面に着氷した氷をオーガで連続的に掻き取り、上部に押し上げながら圧縮成形と切断とを行う製氷部と、製氷部でチップ状に形成された氷を貯蔵する氷ストッカー部とを備えている。氷ストッカー部にはアイスドアが設けてあり、このアイスドアは、氷供給配管３１を介してノズル（図示せず）に接続してある。アイスドアを開放させることにより、氷供給配管３１を通じてノズルに氷が供給されるようになっている。これにより、ノズルよりベンドステージ１に載置されたカップＣに氷が投入されることになる。
【００１９】
温水配管１５に送られた水は、温水タンク５０に貯えられる。温水タンク５０は、抽出装置８０の他、カップＣに供給する湯を貯留するものである。この温水タンク５０には、ヒータ（図示せず）が内蔵してあり、温水配管１５を通じてリザーバ１１から与えられた水を加熱して湯として貯留する。
【００２０】
このような温水タンク５０には、複数の湯バルブ５１が配設してある。湯バルブ５１は、湯送出配管５２を介して抽出装置８０に接続してあり、該湯バルブ５１を開成させることにより湯送出配管５２を通じて抽出装置８０に湯が供給されるようになっている。他の湯バルブ５１は、湯供給配管５３を介してミキシングボール５４に接続してある。ミキシングボール５４は、パウダキャニスタ５５から供給された粉末原料と、温水タンク５０から湯供給配管５３を通じて供給された湯とを撹拌してホット飲料を生成するものである。このミキシングボール５４には、ホット飲料供給配管５６を介してホット飲料ノズル５７が接続してあり、該ホット飲料ノズル５７からベンドステージ１に載置されたカップＣにホット飲料が注出されることになる。
【００２１】
抽出装置８０は、レギュラーコーヒー飲料を抽出するものであって、上方から下方に向けて順に、豆キャニスタ８１、コーヒーミル８２、コーヒーブリュア８３を備えている。
【００２２】
豆キャニスタ８１は、内部にコーヒー豆を収容している。尚、本実施の形態における抽出装置８０では２つの豆キャニスタ８１を備えている。このような豆キャニスタ８１は、内部に原料モータ（図示せず）が設けてあり、かかる原料モータが駆動することにより該豆キャニスタ８１に収容されたコーヒー豆が下部より払い出されるようにしている。一方、原料モータが駆動停止することにより該豆キャニスタ８１に収容されたコーヒー豆の払い出しが停止される。
【００２３】
コーヒーミル８２は、供給されたコーヒー豆を挽くものである。このコーヒーミル８２は、詳細は図示しないが、内部にシュート（水平方向に延びる円筒状の空間）が形成されたミル本体と、シュートに挿通され、外周に螺旋状の刃が形成されたオーガと、オーガを回転させるモータとを有している。そして、モータがオーガを回転させることによりコーヒーミル８２に供給された豆は入口から出口に向けて送られ、その途中で粉砕されるようになっている。
【００２４】
コーヒーブリュア８３は、コーヒーミル８２から供給された挽き豆に温水タンク５０から湯送出配管５２を通じて供給された湯を注ぐことにより、レギュラーコーヒー飲料を抽出するものである。コーヒーブリュア８３は、コーヒー飲料供給配管（図示せず）を介してノズルが接続してあり、これにより、カップＣに対してノズルよりレギュラーコーヒー飲料が注出されることになる。
【００２５】
また、このコーヒーブリュア８３には、コーヒー飲料送出配管８４を通じてミキシングボール８５が接続してある。かかるミキシングボール８５は、砂糖、クリーム等の粉末原料を貯蔵するパウダキャニスタ８６から供給された粉末原料と、コーヒー飲料送出配管８４を通じて供給されたコーヒー飲料とを撹拌するものである。このミキシングボール８５には、配管を通じてコーヒー飲料ノズル８７が接続してあり、撹拌されたコーヒー飲料がコーヒー飲料ノズル８７からカップＣに注出されることになる。
【００２６】
このような自動販売機において、ベンドステージ１に載置されたカップＣにコーヒー飲料を注出するには、豆キャニスタ８１から供給された豆をコーヒーミル８２で挽き、挽き豆をコーヒーブリュア８３に供給する。これと同時に湯バルブ５１を開成させて温水タンク５０に貯留された湯を、湯送出配管５２を通じてコーヒーブリュア８３に送出する。これによりかかるコーヒーブリュア８３でコーヒー飲料が抽出され、抽出されたコーヒー飲料はコーヒー飲料送出配管８４を通じてミキシングボール８５に送出される。ミキシングボール８５では、パウダキャニスタ８６から砂糖、クリーム等の粉末原料を、更に飲料の種類によっては温水タンク５０に貯留してある湯を加えて撹拌混合した後に、コーヒー飲料ノズル８７からカップＣにコーヒー飲料を注出する。
【００２７】
また、コールド飲料、例えば炭酸飲料を販売するには、シロップノズル２４から濃縮シロップを、炭酸水ノズル４２から炭酸水をカップＣに注出するとともに、該カップＣに氷を投入し、カップＣ内で原料を撹拌して炭酸飲料を調理するようにしている。
【００２８】
図２及び図３は、上記炭酸水ノズル４２を示すものであり、図２は斜視図であり、図３は一部を断面で示した説明図である。ここで例示する炭酸水ノズル４２は、例えば樹脂材等から形成されたものであり、基端部４２１と先端部４２２とを備えて構成してある。
【００２９】
基端部４２１は、炭酸水供給配管４１に連結されているとともに、固定金具４３にネジ等の締結部材４４を介して締結されている。ここで固定金具４３は、自動販売機本体の所定個所に固定するためのものであり、これにより基端部４２１は、自動販売機本体に固定されている。この基端部４２１の内部には、炭酸水供給配管４１を通じて供給された炭酸水が通過する炭酸水供給経路４２１１が設けてある。そして、かかる炭酸水供給経路４２１１には、該炭酸水供給経路４２１１の延在方向に沿って延在する抵抗片４２１２が内壁面の一部に突設されている。このような基端部４２１の先端側には、先端部４２２の一部が相対的に進入することを許容する挿入部４２１３が形成してある。
【００３０】
先端部４２２は略円筒状の形態をなしており、その内部には基端部４２１の炭酸水供給経路４２１１に連通可能な炭酸水供給経路４２２１が設けてある。このような先端部４２２の先端部分には略垂直にカットしたカット面４２２２が形成されており、その下端には切欠４２２３が形成されている。
【００３１】
また、先端部４２２の炭酸水供給経路４２２１には、基端側にフィルタ部材としての網４５が配設されている。網４５は、ハット形状を成しており、本体部４５ａと鍔部４５ｂとを有してなるものである。本体部４５ａは、フィルタ機能を有するものであり、炭酸水供給経路４２２１に挿入可能な大きさを有している。鍔部４５ｂは、本体部４５ａの周縁において径外方向に突出する態様で形成してある。この鍔部４５ｂの外径は、炭酸水供給経路４２２１の内径よりも大きくしてある。
【００３２】
このような網４５は、本体部４５ａが炭酸水供給経路４２２１に挿入される態様で鍔部４５ｂが先端部４２２における炭酸水供給経路４２２１の基端縁部に係止されて配設してある。つまり、鍔部４５ｂは、本体部４５ａの周縁に設けられ、本体部４５ａを先端部４２２の炭酸水供給経路４２２１に挿入する態様で該炭酸水供給経路４２２１の基端縁部に係止されるものである。
【００３３】
このような先端部４２２は、該先端部４２２と中心軸と基端部４２１の中心軸とを一致させた状態で、自身の基端側部位４２２４が基端部４２１の挿入部４２１３に相対的に進入し、その後に自身の中心軸を中心にして所定角度だけ回転させられることにより、自身の外壁部に形成された係止溝４２２６に基端部４２１の外壁部に突設された係止突起４２１４が進入する結果、基端部４２１に装着される。
【００３４】
このような炭酸水ノズル４２では、炭酸水供給配管４１を通じて供給された炭酸水が基端部４２１の炭酸水供給経路４２１１を通過した後、先端部４２２の炭酸水供給経路４２２１を通過し、その後に吐出口４２２ａよりベンドステージ１に載置されたカップＣに注出される。
【００３５】
そして、炭酸水ノズル４２の内部に設けられた網４５を洗浄する場合には次のように行えばよい。
【００３６】
まず、先端部４２２を自身の中心軸回りに所定角度だけ回転させて基端部４２１の係止突起４２１４を係止溝４２２６から離脱させる。次に先端部４２２を基端部４２１から離隔する方向に引き出すことにより、先端部４２２の基端側部位４２２４が基端部４２１の挿入部４２１３から離脱し、図４に示すように、先端部４２２を基端部４２１から取り外す。
【００３７】
そして、取り外した先端部４２２の基端側においては、炭酸水供給経路４２２１の基端縁部に係止された網４５の鍔部４５ｂが露出されているので、手等で網４５を取り外すことができる。その後に、取り外した網４５を洗浄すればよい。
【００３８】
このように本実施の形態である炭酸水ノズル４２によれば、自動販売機本体に固定されていない先端部４２２を自動販売機本体に固定された基端部４２１から離脱させ、該先端部４２２に設けられた網４５を取り外すだけで該網４５の洗浄を行うことができる。従って、網４５の定期的な洗浄作業を簡易、かつ効率的に行うことができる。
【００３９】
上記炭酸水ノズル４２によれば、取り外し側の部材、すなわち先端部４２２の交換用部品を別途準備しておけば、先端部４２２だけを交換用部品と取り替えるだけでよく、ルート作業に要する時間を大幅に低減させることができる。しかも、工具等が不要である。
【００４０】
上記炭酸水ノズル４２によれば、先端部４２２を基端部４２１に装着するだけでよく、基端部４２１に設けられた抵抗片４２１２と、先端部４２２に設けられた網４５との離間距離を一定に保持することができ、吐出口４２２ａより吐出される炭酸水の品質を維持することができる。
【００４１】
従来においては、注出ノズル（炭酸水ノズル）からフィルタ部材である網を取り外す場合には、ロッド状の工具を挿入させて網を突き出して取り外していたが、上記炭酸ノズル４２によれば、網４５が、本体部４５ａが炭酸水供給経路４２２１に挿入される態様で鍔部４５ｂが先端部４２２における炭酸水供給経路４２２１の基端縁部に係止されて配設されているので、先端部４２２を基端部４２１から分離させることで、網４５の鍔部４５ｂが露出され、手等で容易に網４５を取り外すことができ、工具レスでの取り外しが可能になり、網４５を変形させたり、紛失したりする虞れがない。
【００４２】
しかも、鍔部４５ｂを炭酸水供給経路４２２１の基端縁部に係止させることで本体部４５ａを該炭酸水供給経路４２２１に挿入させているので、網４５の向きを間違えて取り付けてしまう虞れがなく、これにより安定した品質の炭酸水を供給することが可能になる。
【産業上の利用可能性】
【００４３】
以上のように、本発明に係る注出ノズルは、自動販売機本体内部で生成され、かつ炭酸水供給配管を通じて供給された炭酸水を飲料容器に注出する自動販売機に有用である。
【符号の説明】
【００４４】
４０  カーボネータ
４１  炭酸水供給配管
４２  炭酸水ノズル
４２１  基端部
４２１１  炭酸水供給経路
４２１２  抵抗片
４２１３  挿入部
４２２  先端部
４２２ａ  吐出口
４２２１  炭酸水供給経路
４２２２  カット面
４２２４  基端側部位
４３  固定金具
４４  締結部材
４５  網
４５ａ  本体部
４５ｂ  鍔部
Ｃ  カップ
【図１】
2011258106.tif 000003
【図２】
2011258106.tif 000004
【図３】
2011258106.tif 000005
【図４】
2011258106.tif 000006